(57)【要約】【課題】構造が簡単であってコストが低く、使用利便性が高い掃除用ハサミブラシを提供する。【解決手段】プラスチック材から一体的に成形された掃除用ハサミブラシであって、柄部１と挟持ヘッド部２とを備え、柄部１は、所定角度の弧状形状を有し且つ対称構造をなす第一柄部１１及び第二柄部１２を備え、第一及び第二柄部１１、１２は、先端部が互いに離間し且つ基端部が一体的に連結しており、挟持ヘッド部２は、上端面における先端側の部位が第一柄部１１の先端部に連結されている第一挟持ヘッド部２１と、上端面における先端側の部位が第二柄部１２の先端部に連結されている第二挟持ヘッド部２２とを備え、第一及び第二挟持ヘッド部２１、２２の先端部が先細り状となっており、第一及び第二挟持ヘッド部２１、２２の底部には、ブラシである掃除ヘッド部３がそれぞれ固定的に連結されている。【選択図】図３
0003230874.tif 000002
【実用新案登録請求の範囲】
【請求項１】
プラスチック材から一体的に成形された掃除用ハサミブラシであって、
柄部と挟持ヘッド部とを備え、
前記柄部は、所定角度の弧状形状を有し且つ対称構造をなす第一柄部及び第二柄部を備え、前記第一柄部及び前記第二柄部は、先端部が互いに離間し且つ基端部が一体的に連結しており、
前記挟持ヘッド部は、上端面における先端側の部位が前記第一柄部の先端部に連結されている第一挟持ヘッド部と、上端面における先端側の部位が前記第二柄部の先端部に連結されている第二挟持ヘッド部とを備え、前記第一挟持ヘッド部及び前記第二挟持ヘッド部の先端部は先細り状となっており、
前記第一挟持ヘッド部及び前記第二挟持ヘッド部の底部には、掃除ヘッド部がそれぞれ固定的に連結されている、掃除用ハサミブラシ。
【請求項２】
柄部を握ることによって互いに接触することになる前記第一挟持ヘッド部と前記第二挟持ヘッド部の接触部位は線状であり、前記第一挟持ヘッド部と前記第二挟持ヘッド部との接触線は、前記柄部の中心線に対して垂直である、請求項１に記載の掃除用ハサミブラシ。
【請求項３】
前記掃除ヘッド部はブラシである、請求項１に記載の掃除用ハサミブラシ。
【請求項４】
前記柄部の基端には引掛穴が更に設けられている、請求項１に記載の掃除用ハサミブラシ。
【請求項５】
前記第一柄部及び前記第二柄部の先端部近傍に凹部がそれぞれ設けられ、前記凹部と前記挟持ヘッド部とによって溝状引掛部が形成されている、請求項１に記載の掃除用ハサミブラシ。
【考案の詳細な説明】
【技術分野】
【０００１】
本考案は、日常掃除用品に関するものであり、具体的には掃除用ハサミブラシに関するものである。
【背景技術】
【０００２】
時代の発展とともに掃除用品も変貌を遂げ、機能的で使いやすい掃除用品が続々と開発された。
【０００３】
特許文献１には、風呂場掃除ブラシが開示されている。当該風呂場掃除ブラシには、棒状の第一本体及び第二本体が備えられており、第一本体及び第二本体は、中央部においてヒンジによって互いに連結され、ゴミを掴んだり放したりすることができるように開閉可能に構成されている。第一本体及び第二本体の先端には、掃除ヘッド部が取り外し可能に取り付けられている。当該風呂場掃除ブラシは多機能なものであり、風呂場を掃除する際に床の掃除に使用できるだけでなく、毛髪等のゴミ拾いにも使用でき、操作が簡単で実用性が高い。
【先行技術文献】
【特許文献】
【０００４】
【特許文献１】中国実用新案第２０１６２００４５３７７号明細書
【考案の概要】
【考案が解決しようとする課題】
【０００５】
上述した風呂場掃除ブラシは、ヒンジ構造を採用していることにより構造が比較的複雑となり、そのため製造工程が複雑でありコストがかかるという問題があった。
【課題を解決するための手段】
【０００６】
本考案は上記課題に鑑みてなされたものであり、その目的は、構造が簡単であってコストが低く、使用利便性が高い掃除用ハサミブラシを提供することにある。
【０００７】
上記目的を達成するための本考案に係る掃除用ハサミブラシの特徴は、
プラスチック材から一体的に成形され、
柄部と挟持ヘッド部とを備え、
前記柄部は、所定角度の弧状形状を有し且つ対称構造をなす第一柄部及び第二柄部を備え、前記第一柄部及び前記第二柄部は、先端部が互いに離間し且つ基端部が一体的に連結しており、
前記挟持ヘッド部は、上端面における先端側の部位が前記第一柄部の先端部に連結されている第一挟持ヘッド部と、上端面における先端側の部位が前記第二柄部の先端部に連結されている第二挟持ヘッド部とを備え、前記第一挟持ヘッド部及び前記第二挟持ヘッド部の先端部が先細り状となっており、
前記第一挟持ヘッド部及び前記第二挟持ヘッド部の底部には、掃除ヘッド部がそれぞれ固定的に連結されている点にある。
【０００８】
好ましくは、柄部を握ることによって互いに接触することになる前記第一挟持ヘッド部と前記第二挟持ヘッド部の接触部位は線状であり、前記第一挟持ヘッド部と前記第二挟持ヘッド部との接触線は、前記柄部の中心線に対して垂直である。
【０００９】
好ましくは、前記掃除ヘッド部はブラシである。
【００１０】
好ましくは、前記柄部の基端には引掛穴が更に設けられている。
【００１１】
好ましくは、前記第一柄部及び前記第二柄部の先端部近傍に凹部がそれぞれ設けられ、前記凹部と前記挟持ヘッド部とによって溝状引掛部が形成されている。
【考案の効果】
【００１２】
本考案に係る掃除用ハサミブラシには以下のメリットがある。
【００１３】
（１）本体がプラスチック材で一体的に成形されており、製造コストが低く構造が簡単であり、使用利便性が高い。
【００１４】
（２）使用時には、柄部を手で把持すればブラシを用いて掃除を行うことができる。挟持ヘッド部の先端部が先細り状となっており且つ開閉操作できるため、毛髪などのゴミを容易に掴むことができる。柄部を握ることによって互いに接触することになる第一挟持ヘッド部と第二挟持ヘッド部の接触部位は線状であり、第一挟持ヘッド部と第二挟持ヘッド部との接触線は、柄部の中心線に対して垂直である。このような構成によれば、二つの挟持ヘッド部で細かいゴミを落とすことなくしっかりと掴むことが可能になる。
【００１５】
（３）引掛穴及び溝状引掛部が設けられていることによって、本考案に係る掃除用ハサミブラシを容易に掛けることができる。
【００１６】
（４）本考案に係る掃除用ハサミブラシは、構造が簡単であって容易に製造でき、衛生的な構造を有し実用性が高い。
【図面の簡単な説明】
【００１７】
【図１】本考案に係る掃除用ハサミブラシの平面図である。
【図２】本考案に係る掃除用ハサミブラシの側面図である。
【図３】本考案に係る掃除用ハサミブラシの模式的斜視図である。
【考案を実施するための形態】
【００１８】
以下、図面を参照しながら本考案の実施形態をより詳細に説明する。図１から図３に示すように、本考案に係る掃除用ハサミブラシは、プラスチック材で一体的に成形されたものであり、柄部１及び挟持ヘッド部２を備えている。
【００１９】
柄部１は、所定角度の弧状形状を有し且つ対称構造をなす第一柄部１１及び第二柄部１２を備え、第一柄部１１及び第二柄部１２は、先端部が互いに離間しており、且つ基端部が一体的に連結している。
【００２０】
挟持ヘッド部２は、第一挟持ヘッド部２１及び第二挟持ヘッド部２２を備えている。第一挟持ヘッド部２１の上端面における先端側の部位が第一柄部１１の先端部に連結され、第二挟持ヘッド部２２の上端面における先端側の部位が第二柄部１２の先端部に連結されている。第一挟持ヘッド部２１の先端部２１１及び第二挟持ヘッド部２２の先端部２２１は、先細り状となっている。従来の一部の製品では、挟持ヘッド部の基端部と柄部の先端部とが互いに連結される構造を採用しているが、このような製品は使用上の効果が良好ではない。
【００２１】
柄部を握ることによって互いに近づいて接触することになる第一挟持ヘッド部２１と第二挟持ヘッド部２２の接触部位は線状であり、第一挟持ヘッド部２１と第二挟持ヘッド部２２との接触線は、柄部の中心線に対して垂直である。このような構成によれば、二つの挟持ヘッド部で細かいゴミを落とすことなくしっかりと掴むことが可能になる。
【００２２】
第一挟持ヘッド部２１及び第二挟持ヘッド部２２の底部には、掃除ヘッド部３がそれぞれ固定的に連結されている。本実施形態において、掃除ヘッド部３はブラシである。
【００２３】
柄部１の基端には引掛穴１３が更に設けられている。
【００２４】
第一柄部１１及び第二柄部１２の先端部近傍に凹部１１１、１２１がそれぞれ設けられ、凹部１１１、１２１と挟持ヘッド部２とによって溝状引掛部が形成されている。
【００２５】
本考案に係る掃除用ハサミブラシは、本体がプラスチック材で一体的に成形されており、製造コストが低く構造が簡単であり、使用利便性が高い。使用時には、柄部を手で把持すればブラシを用いて掃除を行うことができる。挟持ヘッド部の先端部が先細り状となっており且つ開閉操作できるため、毛髪などのゴミを容易に掴むことができる。本考案に係る掃除用ハサミブラシは、構造が簡単であって容易に製造でき、衛生的な構造を有し実用性が高い。
【００２６】
上述した実施形態及び図面は本考案の製品形態、様式を限定するものではなく、当業者によるいかなる適宜な変更又は修飾も、本考案の範囲から逸脱するものではない。
【図１】
0003230874.tif 000003
【図２】
0003230874.tif 000004
【図３】
0003230874.tif 000005